(57)【要約】  【課題】  同軸ケーブルの外被の、温度変化や紫外線の影響等経年変化による収縮に対処できる、同軸ケーブル用コネクタの外被用クランプリングを提供する。  【解決手段】  先端側を機器に取付けるコネクタ本体１の後端側に雄ねじ部１ｂを設け、該雄ねじ部１ｂに螺合する締付け金具２の螺合操作によって縮径して同軸ケーブルＣの外被Ｃｃを挟持するようにした外被用クランプリング１１であって、その内周面の軸線方向の中間部に、複数の突子１１ｂを前記外被Ｃｃの周方向に並設する。なお、外被用クランプリング１１は合成樹脂製の割り筒体で構成する。【選択図】    図１
2010050034.tif 000002
【特許請求の範囲】
【請求項１】
先端側を機器に取付けるコネクタ本体の後端側に設けた雄ねじ部に締付け金具を螺合し、該締付け金具の螺合操作によって縮径させて同軸ケーブルの外被を挟持するようにした同軸ケーブル用コネクタの外被用クランプリングにおいて、内周面の軸線方向の中間部に、複数の突子を前記外被の周方向に並設した、外被用クランプリング。
【発明の詳細な説明】
【技術分野】
【０００１】
本発明は、同軸ケーブル用コネクタの外被用クランプリングに関するものである。
【背景技術】
【０００２】
先端側を機器に取付けるコネクタ本体の後端側に雄螺子部を設け、該雄螺子部に螺合して前進させる締付け金具で、押圧リングを押圧して該押圧リングと受圧リングとの間に介在させた外被用クランプリングを縮径して前記締付け金具内の、同軸ケーブルの外被を挟持させるようにした、同軸ケーブル用コネクタは公知である（例えば、特許文献１）。
【０００３】
【特許文献１】特開２００３−１５１６９８号公報
【発明の開示】
【発明が解決しようとする課題】
【０００４】
前記従来例は、締付け金具によって押圧される押圧リングがクランプリングを受圧リング方向に押圧すると、先端側が受圧リングに、後端側が押圧リングにテーパ壁で径方向に重なり合った外被用クランプリングが縮径して同軸ケーブルの外被に圧接して、同軸ケーブルを挟持するのであるが、同軸ケーブルの外被は、温度変化や紫外線の影響などにより容易に収縮し易く、前記の圧接すなわち面接触による挟持だけでは外被が収縮し、コネクタと同軸ケーブルとの間の水気密性が損われる等々種々の弊害が生じる場合がある。
【０００５】
本発明は、同軸ケーブルの外被の経年変化による収縮（軸線に沿う方向の縮小）に従来例と較べ対処することのできる、同軸ケーブル用コネクタの外被用クランプリングを提供することを目的として創案したものである。
【課題を解決するための手段】
【０００６】
先端側を機器に取付けるコネクタ本体の後端側に設けた雄ねじ部に締付け金具を螺合し、該締付け金具の螺合操作によって縮径させて同軸ケーブルの外被を挟持するようにした同軸ケーブル用コネクタの外被用クランプリングにおいて、内周面の軸線方向の中間部に、複数の突子を前記外被の周方向に並設した構成とするのである。
【発明の効果】
【０００７】
本発明によれば、締付け金具の操作によって負荷される外被クランプリングに対する縮径荷重が突子に集中して同軸ケーブルの外被に圧接し、負荷されることになり、従って、外被の収縮に対処し、外被部を含めた同軸ケーブルを確実に挟持することのできる同軸ケーブル用コネクタの外被用クランプリングを提供することができる。
【実施例】
【０００８】
図面は本発明に係る同軸ケーブル用コネクタの外被用クランプリングの一実施例を示し、図１は同軸ケーブル用コネクタの使用状態を示す断面図、図２は外被用クランプリングの斜視図である。
【０００９】
図中、１は先端側に設けた第一雄ねじ１ａを機器Ａに螺合して取付ける、金属（実施例は黄銅）製のコネクタ本体で、コネクタ本体１の軸線上には中心コンタクト３を配し、該中心コンタクト３のピン３ａをコネクタ本体１の内側に収設した合成樹脂製の絶縁体４を通じて本体１より突出させて前記機器に差し込むようにしてある。
【００１０】
中心コンタクト３は、外周端を押え筒５と前記コネクタ本体１とで挟持された支持板６に設けた支持孔６ａに、その基部を嵌合して支持板６に支持され、基端面を開口して設けたねじ穴７に同軸ケーブルＣの芯線（中心導体）Ｃａに形成した雄ねじを螺合して同軸ケーブルＣと接続したものである。
【００１１】
前記支持板６は、中央に前記支持孔６ａを設けた、円板状の絶縁体（実施例は合成樹脂）の適所に空隙６ｂを設けて構成したもので、斯様な支持板６で中心コンタクト３の基部乃至芯線Ｃａの先端を支持させることによりコネクタＡを比較的小径にすることができる。すなわち、良好な電気特性を持つ中心コンタクトの配置（組付け）状態を得るには、中心導体の基部を支持するために用いられる絶縁性の支持材（実施例の場合は支持板６）の誘電率を空気のそれに近づけ、できるだけ小さくすることが望ましく、実施例の場合は空隙６ｂ（総面積が広ければ広い程誘電率が小さくなる）を備えた支持板６を用いたから、誘電率がその分小さくなり、中心コンタクト３を収容するコネクタ本体１の径を小径にすることができるのである。
【００１２】
この支持板６の周端部を挟持する前記押え筒５の内側にはフェルール８（金属製）を配し、フェルール８は、受圧筒部８ａと該受圧筒部８ａの内側に配した挟挿筒部８ｂをそれぞれ円形リング状の基部片において互いに接続した二重円筒体で成り、挟挿筒部８ｂを前記同軸ケーブルＣの外部導体Ｃｂの内側に挟挿するようにして同軸ケーブルＣに組付け（接続し）てある。
【００１３】
このフェルール８の受圧筒部８ａの後端側（自由端側）の内周面に、先端側から後端方向に径を漸次大きくしたテーパ面８ａ´を設け、該テーパ面８ａ´と逆方向すなわち後端側から先端方向に径を漸次大きくしたテーパ面９ａ´を、押圧筒９（金属製）の、先後中間部の内周面に設け、これらテーパ面８ａ´，９ａ´に各対応するテーパ面１０ａ，１０ｂが接して縮径する、金属製のクランプリング１０を、フェルール８の前記受圧筒部８ａと押圧筒９の後部側の厚肉部９ａとの間に配し、前記厚肉部９ａと先部側の薄肉部９ｂとで成る押圧筒９は、薄肉部９ｂにおいて、前記押え筒５とフェルール８の受圧部８ａ乃至クランプリング１０との間に介在させ、厚肉部９ａの一部を前記コネクタ本体１より後方に突出させ、締付け金具２内に突出させてある。
【００１４】
なお、筒状体で成る前記押え筒５は、先端側に、内径を小さくした内鍔部片５ａを備え、該内鍔部片５ａをスペーサとして機能させて該押えリング５と受圧部８ａ乃至クランプリング１０との間に挟入間隙を形成し、これに押圧筒９（の薄肉部９ｂ）を挟挿してある。
【００１５】
締付け金具２は、前記コネクタ本体１の後端側に設けた第二雄ねじ１ｂに螺合して本体１に組付ける金具本体２Ａと、該金具本体２Ａを前後方向中間部に収設したカバー枠２Ｂとで構成し、カバー枠２Ｂの、前記金具本体２Ａより後方側には、外被用クランプリング１１、押えリング１２およびガスケットリング１３を順次並べて収設してある。
【００１６】
カバー枠２Ｂは、ポリカーボネート等の硬質合成樹脂製の主体枠２Ｂ´を塩ビ等の耐候性有る軟質合成樹脂層２Ｂ´´で被覆して、軽量化を図ったもので（図示、省略してあるが、製造上、主体２Ｂ´を２部材で構成し、組合わせたものである）、この主体枠２Ｂ´に収設した前記外被用クランプリング１１は、合成樹脂製の割り筒体で成り、中間部内周面に複数個の突子１１ｂ，…を同軸ケーブルの外被Ｃｃの周方向に並設し、先端縁を先端方向に漸次縮径するテーパ面１１ａと成し、該テーパ面１１ａと逆方向のテーパ面９ａ´´を備えた前記押圧筒９の厚肉部９ａと隣接させて配し、該外被用クランプリング１１の後方側には、係止段部１２ａにおいて前記締付け金具２（のカバー枠２Ｂ）に押圧される前記押えリング１２を配し、押えリング１２の後方には同軸ケーブルＣの外被Ｃｃに接して、水気密機能を期待する前記ガスケットリング１３を配してある。
【００１７】
そして、絶縁体４を一体的にしたコネクタ本体１を、機器に第一雄ねじ１ａを利用して組付け、ガスケットリング１３、押えリング１２および外被用クランプリング１１を収設した締付け金具２を、適宜二次加工した同軸ケーブルＣの端末部に隣接する外被Ｃｃ部の周りに組合わせ、締付け金具２の金具本体２の内側にスプリングワッシャ１４を収め、端末部の外部導体Ｃｂ部の外側には押圧筒９と、該押圧筒９の内側に配したクランプリング１０を組合わせる一方、フェルール８を、外部導体Ｃｂを受圧筒部８ａと挟挿筒部８ｂで挟持させるようにして該外部導体Ｃｂ端部に組付け、フェルール８と支持板６との間に押え筒５（の内鍔部片５ａ）を介在させるようにして、同軸ケーブルＣの芯線（中心導体）Ｃａの端末の二次加工して形成したねじ部を、支持板６と一体的にした中心コンタクト３のねじ穴７に螺合して組付け、この中心コンタクト３のピン３ａを、機器Ａに組付けたコネクタ本体１に収設した絶縁体４の貫通孔１５を通じ前記機器内に挿入して、１締付け金具２を本体１の第二雄ねじ１ｂに螺合締付けると、クランプリング１０は、押圧筒９および受圧筒部８ａ（フェルール８）とのテーパ同士の接触により、テーパ面１０ａ，１０ｂにおいて、これらに相対的に押圧され縮径して、外部導体Ｃｂをフェルール８の挟挿筒部８ｂとで挟持し、また、同軸ケーブルＣの外被Ｃｃは、締付け金具２の本体１方向の前進により押圧筒９と押えリング１２に両端を相対的に押圧され、かつ、テーパ面９ａ´´，１１ａ同士の接触により縮径する外被用クランプリング１１の突子１１ｂ，…（等間隔を存して外被Ｃｄの周方向に並設してあるのが望ましい、実施例は４個設けてある）が食い込んで挟持され、コネクタを介する機器Ａと同軸ケーブルＣの接続状態を得られる。
【図面の簡単な説明】
【００１８】
【図１】同軸ケーブル用コネクタの使用状態を示す断面図。
【図２】外被用クランプリングの斜視図。
【符号の説明】
【００１９】
１          コネクタ本体
１ｂ        雄ねじ部
２          締付け金具
１１        外被用クランプリング
１１ｂ      突子
Ｃ          同軸ケーブル
Ｃｃ        外被
【図１】
2010050034.tif 000003
【図２】
2010050034.tif 000004